(57)【要約】【課題】前面を美麗にしながらも前面パネルの簡素化を図り、しかも、前面パネルの装着作業の容易化を図ることができるビルトイン式加熱調理器を提供する。【解決手段】調理器本体に設けた枠体部ＢＵに、前面パネル６が、被係止部Ｕを枠体部ＢＵに設けた係止部Ｗに前後揺動可能に係止させた状態での後方側の揺動により、覆い状態に装着され、前面パネル６が、矩形状のパネル本体６Ｈの横内方側の端縁部から後方側に起立する内方側壁部分６Ｎを備える状態に金属板にて形成され、枠体部ＢＵの横内方側端部に、横内方側に突出する凸状部Ｔが設けられ、凸状部Ｔの先端に嵌合する挿入孔１３、及び、内方側壁部分６Ｎから起立する爪状部Ｆが、被係止部Ｕとして、内方側壁部分６Ｎに設けられ、凸状部Ｔの先端部、内方側壁部分６Ｎの横外方側の移動を受止め規制する壁用受止部Ｓ、及び、爪状部Ｆを受止め規制する溝部Ｊから係止部Ｗが構成されている。【選択図】図１０
2018200157.tif 000002
【特許請求の範囲】
【請求項１】
前面部をキッチンキャビネットの前面開口に臨ませた状態に前記キッチンキャビネットの上方開口部から下方に挿入されて組み付けられる調理器本体における横端部側の前面側箇所に設けた枠体部に、矩形状の前面パネルが、横内方側端部に設けた被係止部を前記枠体部の横内方側端部に設けた係止部に前後揺動可能に係止させた状態での後方側の揺動により、前記枠体部を覆う覆い状態に装着され、
前記覆い状態の前記前面パネルの横外方側端部を前記枠体部に固定する固定部が、固定状態と固定解除状態とに切換え自在に設けられたビルトイン式加熱調理器であって、
前記前面パネルが、矩形状のパネル本体の横内方側の端縁部から後方側に起立する内方側壁部分を備える状態に金属板にて形成され、
前記枠体部の横内方側端部に、横内方側に突出する凸状部が設けられ、
前記被係止部として、前記凸状部の先端部に嵌める挿入孔、及び、前記内方側壁部分から横外方側に向けて起立する爪状部が、前記内方側壁部分に設けられ、
前記凸状部に、前記内方側壁部分の横外方側の移動を受止め規制する壁用受止部、及び、前記爪状部の前方側への移動を受止め規制する前方側受部と前記爪状部の下方側への移動を受止め規制する下方側受部と前記爪状部の上方側への移動を規制する上方側受部とを備える溝部が設けられ、
前記係止部が、前記凸状部の先端部、前記壁用受止部、及び、前記溝部から構成されているビルトイン式加熱調理器。
【請求項２】
前記爪状部が、前記挿入孔の孔縁部における後方側部分から起立する状態に形成されている請求項１記載のビルトイン式加熱調理器。
【請求項３】
前記凸状部の前方側部分に、横方向に延びるリブが形成されている請求項１又は２記載のビルトイン式加熱調理器。
【請求項４】
前記前面パネルが、前記内方側壁部分に加えて、前記パネル本体の横外方側の端縁部から後方側に起立する外方側壁部分、前記パネル本体の上方側の端縁部から後方側に起立する上方側壁部分、及び、前記パネル本体の下方側の端縁部から後方側に起立する下方側壁部分を備える状態に前記金属板にて形成されている請求項１〜３のいずれか１項に記載のビルトイン式加熱調理器。
【請求項５】
前記枠体部に、前記上方側壁部分に接当する上方側案内部、及び、前記下方側壁部分に接当する下方側案内部が設けられている請求項４記載のビルトイン式加熱調理器。
【請求項６】
前記固定部が、前記覆い状態の前記前面パネルにおける前記調理器本体の横外方に張り出す張出部分の背面部に上下方向にスライド自在に装備された固定作用部材を、固定位置と固定解除位置とに上下方向にスライドさせることによって、前記固定状態と前記固定解除状態とに切換え自在に構成され、
前記固定作用部材をスライド自在に支持する合成樹脂製の支持台が、前記前面パネルの背面部に装着されている請求項１〜５のいずれか１項に記載のビルトイン式加熱調理器。
【請求項７】
前記支持台に、前記前面パネルの前記覆い状態において、前記枠体部に設けた位置決め用係合部に係合する位置決め用被係合部が形成されている請求項６記載のビルトイン式加熱調理器。
【請求項８】
前記固定作用部材に、前記固定位置において前記枠体部の横外方側端部に設けた外方側係止部に対して前方側への移動が阻止されるように係止されかつ前記固定解除位置にて前記外方側係止部による係止が解除される固定用被係止部が設けられている請求項６又は７記載のビルトイン式加熱調理器。
【発明の詳細な説明】
【技術分野】
【０００１】
本発明は、前面部をキッチンキャビネットの前面開口に臨ませた状態に前記キッチンキャビネットの上方開口部から下方に挿入されて組み付けられる調理器本体における横端部側の前面側箇所に設けた枠体部に、矩形状の前面パネルが、横内方側端部に設けた被係止部を前記枠体部の横内方側端部に設けた係止部に前後揺動可能に係止させた状態での後方側の揺動により、前記枠体部を覆う覆い状態に装着され、
前記覆い状態の前記前面パネルの横外方側端部を前記枠体部に固定する固定部が、固定状態と固定解除状態とに切換え自在に設けられたビルトイン式加熱調理器に関する。
【背景技術】
【０００２】
かかる加熱調理器は、枠体部を覆う状態に前面パネルを固定する固定部を、固定状態と固定解除状態とに切換えながら、前面パネルを着脱することによって、枠体部に装備した機器類の点検作業を良好に行えることになる。
尚、枠体部には、調理器本体に装備した加熱部の加熱状態を操作する操作部が装備される場合や、調理器本体に装備した機器類を駆動する電源としての電池が装備される場合がある。
【０００３】
ちなみに、このように前面パネルを着脱することができるものであるから、調理器本体をキッチンキャビネットに装着する際には、前面パネルを外しておき、調理器本体をキッチンキャビネットに装着した後に、前面パネルを装着するようにすることにより、調理器本体をキッチンキャビネットに装着する作業が行い易いばかりでなく、前面パネルの損傷を抑制できるものとなる。
【０００４】
このようなビルトイン式加熱調理器の従来例として、前面パネルが、合成樹脂にて形成されたガスコンロがある（例えば、特許文献１参照。）。
特許文献１には、詳細な説明が省略されているが、合成樹脂にて形成された前面パネルの前面には、当該前面パネルの前面を美麗にするための金属製の化粧パネルが装着されている。つまり、前面パネルが、被係止部を備えた合成樹脂製の本体部と、その本体部の前面に装着される金属製の化粧パネルとから構成されている。
【先行技術文献】
【特許文献】
【０００５】
【特許文献１】特開２０１４‐３５１２３号公報
【発明の概要】
【発明が解決しようとする課題】
【０００６】
従来では、前面パネルが、合成樹脂製の本体部と金属製の化粧パネルとから構成されるものであるから、前面パネルの構成が複雑で高価となる不都合があり、改善が望まれるものであった。
【０００７】
本発明は、上記実情に鑑みて為されたものであって、その目的は、前面を美麗にしながらも前面パネルの簡素化を図り、しかも、前面パネルの装着作業の容易化を図ることができるビルトイン式加熱調理器を提供する点にある。
【課題を解決するための手段】
【０００８】
本発明のビルトイン式加熱調理器は、前面部をキッチンキャビネットの前面開口に臨ませた状態に前記キッチンキャビネットの上方開口部から下方に挿入されて組み付けられる調理器本体における横端部側の前面側箇所に設けた枠体部に、矩形状の前面パネルが、横内方側端部に設けた被係止部を前記枠体部の横内方側端部に設けた係止部に前後揺動可能に係止させた状態での後方側の揺動により、前記枠体部を覆う覆い状態に装着され、
前記覆い状態の前記前面パネルの横外方側端部を前記枠体部に固定する固定部が、固定状態と固定解除状態とに切換え自在に設けられたものであって、その特徴構成は、
前記前面パネルが、矩形状のパネル本体の横内方側の端縁部から後方側に起立する内方側壁部分を備える状態に金属板にて形成され、
前記枠体部の横内方側端部に、横内方側に突出する凸状部が設けられ、
前記被係止部として、前記凸状部の先端部に嵌める挿入孔、及び、前記内方側壁部分から横外方側に向けて起立する爪状部が、前記内方側壁部分に設けられ、
前記凸状部に、前記内方側壁部分の横外方側の移動を受止め規制する壁用受止部、及び、前記爪状部の前方側への移動を受止め規制する前方側受部と前記爪状部の下方側への移動を受止め規制する下方側受部と前記爪状部の上方側への移動を規制する上方側受部とを備える溝部が設けられ、
前記係止部が、前記凸状部の先端部、前記壁用受止部、及び、前記溝部から構成されている点にある。
【０００９】
すなわち、前面パネルが、矩形状のパネル本体を備える形態に金属板にて形成されるものであるから、前面を美麗にしながらも前面パネルの簡素化を図ることができる。
つまり、金属板にて形成されるパネル本体の前面は、美麗であるから、金属板にて形成される前面パネルを、特別な化粧板等を装着することなく、そのままの状態で前面パネルとして使用することができるため、前面を美麗にしながらも前面パネルの簡素化を図ることができる。
【００１０】
また、枠体部の横内方側端部に、横内方側に突出する凸状部を設け、前面パネルの矩形状のパネル本体の横内方側の端縁部から後方側に起立する内方側壁部分に、凸状部の先端部に嵌める挿入孔、及び、内方側壁部分から横外方側に向けて起立する爪状部を設けて、挿入孔と爪状部とから被係止部を構成する。
【００１１】
また、凸状部に、内方側壁部分の横外方側の移動を受止め規制する壁用受止部、及び、爪状部の前方側への移動を受止め規制する前方側受部と爪状部の下方側への移動を受止め規制する下方側受部と爪状部の上方側への移動を規制する上方側受部とを備える溝部を設けて、凸状部の先端部、壁用受止部及び溝部から係止部を構成する。
【００１２】
そして、被係止部を係止部に係止させた状態で、前面パネルを枠体部に向けて後方側に揺動させることにより、前面パネルを覆い状態に装着することになる。
つまり、前面パネルを、枠体部の前面から離間させた状態で、横内方側端部の挿入孔を凸状部の先端部に嵌めるようにし、かつ、爪状部を溝部に係止させるようにし、その状態で、前面パネルを後方側に揺動させることにより、前面パネルを、枠体部を覆う覆い状態に装着する。
【００１３】
上述の如く、被係止部を係止部に係止させるあたり、前面パネルにおける内方側壁部分の挿入孔を凸状部の先端部に嵌めるようにすれば、爪状部を溝部に係止させることができるため、被係止部を係止部に係止させることを良好に行いながら、前面パネルの装着作業の容易化を図ることができる。
つまり、目視にて存在を確認し易い挿入孔を凸状部の先端部に嵌めるようにすることにより、結果的に、爪状部を溝部に係止させることができるから、被係止部を係止部に係止させることを良好に行えるようにして、前面パネルの装着作業の容易化を図ることができる。
【００１４】
ちなみに、被係止部として、爪状部を省略して挿入孔のみを設け、挿入孔を嵌める凸状部の先端部を、係止部として構成することが考えられる。
しかしながら、この場合には、前面パネルを揺動させる途中等において、被係止部が係止部から外れないようにするには、凸状部の先端部が挿入孔から大きく突出する形態に構成する必要があり、そのために、見栄えが悪くなる不利や、枠体部の横内方側箇所に、扉付受け皿を出退自在に備えたグリル部を設ける場合において、挿入孔から大きく突出する凸状部の先端部が扉付受け皿に干渉する虞がある等の不都合を招くものとなる。
【００１５】
このような実状に鑑みて、本特徴構成においては、凸状部の先端部を挿入孔から大きく突出させるようにするのに代えて、爪状部と溝部とを設けて、前面パネルを揺動させる途中等において、被係止部が係止部から外れないようにするのである。
そして、爪状部と溝部とを設ける場合には、挿入孔を省略することが可能であるが、挿入孔を設けておくことにより、上述の如く、被係止部を係止部に係止させることを良好に行えるようにして、前面パネルの装着作業の容易化を図るのである。
【００１６】
要するに、本発明のビルトイン式加熱調理器の特徴構成によれば、前面を美麗にしながらも前面パネルの簡素化を図り、しかも、前面パネルの装着作業の容易化を図ることができる。
【００１７】
本発明のビルトイン式加熱調理器の更なる特徴構成は、前記爪状部が、前記挿入孔の孔縁部における後方側部分から起立する状態に形成されている点にある。
【００１８】
すなわち、爪状部が、挿入孔の孔縁部における後方側部分から起立する状態に形成されているから、爪状部が後方側に折れ曲がることを適切に回避できる。
つまり、内方側壁部分から横外方側に向けて片持ち状に起立する爪状部には、上下方向に沿う姿勢の板状の前方側受部に爪状部が接当した際に、後方側に折れ曲げる力が作用することになるが、爪状部における挿入孔の孔縁部に相当する箇所に位置する折れ曲がり難い部分が、後方側に折れ曲げる力を受止めることにより、爪状部の折れ曲がりを適切に回避できることになる。
【００１９】
要するに、本発明のビルトイン式加熱調理器の更なる特徴構成によれば、爪状部の折れ曲がりを適切に回避できる。
【００２０】
本発明のビルトイン式加熱調理器の更なる特徴構成は、前記凸状部の前方側部分に、横方向に延びるリブが形成されている点にある。
【００２１】
すわわち、横方向に延びるリブが、凸状部の前方側部分に形成されることにより、凸状部の強度を向上させて、前面パネルを凸状部にて適切に支持することができる。
つまり、凸状部の強度が向上することにより、前面パネルの支持強度を向上させることができる。
【００２２】
要するに、本発明のビルトイン式加熱調理器の更なる特徴構成によれば、前面パネルの支持強度を向上させることができる。
【００２３】
本発明のビルトイン式加熱調理器の更なる特徴構成は、前記前面パネルが、前記内方側壁部分に加えて、前記パネル本体の横外方側の端縁部から後方側に起立する外方側壁部分、前記パネル本体の上方側の端縁部から後方側に起立する上方側壁部分、及び、前記パネル本体の下方側の端縁部から後方側に起立する下方側壁部分を備える状態に前記金属板にて形成されている点にある。
【００２４】
すなわち、矩形状のパネル本体の４つの縁部には、内方側壁部分、外方側壁部分、上方側壁部分、及び、下方側壁部分が存在するものとなり、それらの壁部分の存在により、パネル本体の保形強度を増加させることができる。
【００２５】
このようにパネル本体の保形強度を増加させることができるから、金属板を薄くして低廉化を図るようにしながらも、パネル本体が撓み変形すること等を抑制して、前面パネルの前面を美麗な状態で適切に維持できる。
【００２６】
要するに、本発明のビルトイン式加熱調理器の更なる特徴構成によれば、低廉化を図りながらも、前面パネルの前面を美麗な状態で適切に維持できる。
【００２７】
本発明のビルトイン式加熱調理器の更なる特徴構成は、前記枠体部に、前記上方側壁部分に接当する上方側案内部、及び、前記下方側壁部分に接当する下方側案内部が設けられている点にある。
【００２８】
すなわち、前面パネルを、被係止部を係止部に係止させた状態で後方側に揺動させる際に、上方側案内部及び下方側案内部によって、前面パネルが上下方向に不必要に移動することを抑制することができる。
【００２９】
つまり、被係止部を係止部に係止させた状態で、前面パネルを後方側に揺動させる際に、揺動操作する力の入れ具合が適切でないこと等により、前面パネルが上下方向に不必要に移動して、被係止部が係止部から外れる等のトラブルを招く虞があるが、上方側案内部及び下方側案内部によって、前面パネルが上下方向に不必要に移動することを抑制することにより、被係止部が係止部から外れる等のトラブルを招くことを回避しながら、前面パネルを覆い状態に適切に装着することができる。
【００３０】
要するに、本発明のビルトイン式加熱調理器の更なる特徴構成によれば、被係止部が係止部から外れる等のトラブルを招くことを回避しながら、前面パネルを覆い状態に適切に装着することができる。
【００３１】
本発明のビルトイン式加熱調理器の更なる特徴構成は、前記固定部が、前記覆い状態の前記前面パネルにおける前記調理器本体の横外方に張り出す張出部分の背面部に上下方向にスライド自在に装備された固定作用部材を、固定位置と固定解除位置とに上下方向にスライドさせることによって、前記固定状態と前記固定解除状態とに切換え自在に構成され、
前記固定作用部材をスライド自在に支持する合成樹脂製の支持台が、前記前面パネルの背面部に装着されている点にある。
【００３２】
すなわち、固定作用部材をスライド自在に支持する合成樹脂製の支持台を、前面パネルの背面部に装着して、固定作用部材を、固定位置と固定解除位置とに上下方向にスライドさせることによって、固定部を固定状態と固定解除状態とに切換えるようにする。
【００３３】
そして、固定作用部材を、覆い状態の前面パネルにおける調理器本体の横外方に張り出す張出部分の背面部に上下方向にスライド自在に装備するものであるから、固定作用部材のスライド操作を良好に行うことができる。
【００３４】
つまり、前面パネルにおける調理本体の横側に張り出す張出部分の後方側には、調理器本体が存在しない点に着目して、張出部分の背面部を、固定部を構成する固定作用部材の設置箇所として有効利用することによって、スライド操作を良好に行うことができる形態で固定作用部材を設置して、固定部を固定状態と固定解除状態とに良好に切換え操作できるようにするのである。
【００３５】
要するに、本発明のビルトイン式加熱調理器の更なる特徴構成によれば、固定部を固定状態と固定解除状態とに良好に切換え操作できる。
【００３６】
本発明のビルトイン式加熱調理器の更なる特徴構成は、前記支持台に、前記前面パネルの前記覆い状態において、前記枠体部に設けた位置決め用係合部に係合する位置決め用被係合部が形成されている点にある。
【００３７】
すなわち、固定作用部材を支持するために設けた合成樹脂製の支持台に、位置決め用被係合部を形成して、前面パネルの覆い状態において、位置決め用被係合部を枠体部の位置決め用係合部に係合させることにより、覆い状態の前面パネルの装着姿勢の安定化を図るようにする。
【００３８】
つまり、合成樹脂製の支持台には、当該支持台を成形加工する際に、凸状や凹状の位置決め用被係合部を成形加工できる点に着目して、位置決め用被係合部を支持台に形成することにより、覆い状態の前面パネルは、横内方側端部では被係止部が係止部に支持され、横外方側端部では位置決め用被係合部が位置決め用係合部に支持されることになるため、覆い状態の前面パネルが適正な装着姿勢に適切に支持されることになる。
【００３９】
要するに、本発明のビルトイン式加熱調理器の更なる特徴構成によれば、覆い状態の前面パネルの装着姿勢の安定化を図ることができる。
【００４０】
本発明のビルトイン式加熱調理器の更なる特徴構成は、前記固定作用部材に、前記固定位置において前記枠体部の横幅方向の外方側端部に設けた外方側係止部に対して前方側への移動が阻止されるように係止されかつ前記固定解除位置にて前記外方側係止部による係止が解除される固定用被係止部が設けられている点にある。
【００４１】
すなわち、固定作用部材を、固定位置に位置させると、固定作用部材に設けた固定用被係止部が、枠体部の横外方側端部に設けた外方側係止部に対して前方側への移動が阻止されるように係止されることにより、前面パネルの横外方側部分が、枠体部に対して前方側への移動が阻止されるように係止されることになる。
また、固定作用部材を、固定解除位置に位置させると、固定作用部材に設けた固定用被係止部に対する枠体部に設けた外方側係止部による係止が解除されることになる。
【００４２】
このように、固定作用部材を固定位置と固定解除位置とに上下方向にスライドさせて、固定作用部材に設けた固定用被係止部に対する枠体部に設けた外方側係止部による係止を、係止作用状態と係止解除状態に切換えることにより、固定部を固定状態と固定解除状態とに適切に切換えることができる。
【００４３】
要するに、本発明のビルトイン式加熱調理器の更なる特徴構成によれば、固定作用部材のスライド操作により、固定部を固定状態と固定解除状態とに適切に切換えることができる。
【図面の簡単な説明】
【００４４】
【図１】ガスコンロの斜視図
【図２】ガスコンロの斜視図
【図３】操作部装着枠の斜視図
【図４】上側操作部カバーを外した状態の操作部装着枠の斜視図
【図５】固定作用部材の装着部の分解斜視図
【図６】上方側枠部の正面図
【図７】上方側枠部の横内方側端部の斜視図
【図８】上方側枠部の側面図
【図９】係止部と被係止部との係止状態を示す断面図
【図１０】被係止部を係止部に係止させる状態を示す断面図
【図１１】位置決め用係合部と位置決め用被係合部との係合状態の断面図
【図１２】固定解除位置の固定作用部材を示す正面図
【図１３】固定位置の固定作用部材を示す正面図
【図１４】ガスコンロをキッチンキャビネットに装着する途中状態を示す斜視図
【図１５】ガスコンロをキッチンキャビネットに装着した状態を示す斜視図
【図１６】別実施形態の被係止部の斜視図
【図１７】別実施形態の係止部と被係止部との係止状態を示す断面図
【発明を実施するための形態】
【００４５】
〔実施形態〕
本発明の実施形態を図面に基づいて説明する。
（ガスコンロの全体構成）
図１及び図２に示すように、ビルトイン式加熱調理器としてのガスコンロＧＣが、調理器本体Ｈの上面部に、コンロバーナ１として、標準火力バーナ１Ａ、小火力バーナ１Ｂ及び高火力バーナ１Ｃを備え、且つ、調理器本体Ｈの横幅方向中央部にグリル部Ｇを備える形態に構成されている。
【００４６】
調理器本体Ｈは、上部が開口された箱状の金属製のケーシング２を主要部として構成されるものであって、ケーシング２の内部には、図示は省略するが、グリル部Ｇを構成するグリル庫、コンロバーナ１の混合管、グリル部Ｇに装備したグリルバーナの混合管等、種々の機器類が装備されている。
ちなみに、グリル部Ｇには、グリル庫から前方側に引出操作自在な扉付グリル皿Ｇｔが設けられている。
【００４７】
また、ケーシング２の内部における左右の横端部側の前面側箇所、つまり、グリル庫の両横側の前面側箇所には、後述する運転操作部Ｍを構成するために、操作部装着枠Ｂ（図３及び図４参照）が組付けられている。
操作部装着枠Ｂは、図４に示すように、後述する上方側運転操作部ＭＵを構成するための合成樹脂製の上方側枠部ＢＵ（枠体部の一例）と後述する下方側運転操作部ＭＳを装着するための合成樹脂製の下方側枠部ＢＳとを、金属製の縦長の支持枠ＢＤに装着する形態に構成されている。
ちなみに、図３及び図４は、右側の操作部装着枠Ｂを例示する。
【００４８】
調理器本体Ｈの上部には、ガラス製の天板３が配置され、調理器本体Ｈの上面部の後部側には、グリル部Ｇの燃焼排ガスを排気するためのグリル排気口４が形成されている。
また、天板３の上部には、コンロバーナ１にて加熱される鍋等の調理容器を載置するための五徳５が、３つのコンロバーナ１の夫々に対応して設けられている。
【００４９】
このガスコンロＧＣは、ビルトインタイプとして構成されるものであり、具体的には、調理器本体Ｈが、図１４及び図１５に示すように、キッチンキャビネットＫＮの上方開口部Ｋ１から下方に挿入されて、調理器本体Ｈの前面部をキッチンキャビネットＫＮの前面開口Ｋ２に臨ませた状態に組み付けられるように構成されている。
尚、詳述はしないが、調理器本体Ｈの上部の周縁部には、キッチンキャビネットＫＮの上面に載置する鍔部が形成されている。
【００５０】
また、調理器本体Ｈの横端部と前面開口Ｋ２との間の隙間を塞ぐ左右一対の隙間挿入部材Ｐが、調理器本体Ｈの横側壁における前方側箇所に装着されている（図１参照）。
ちなみに、隙間挿入部材Ｐは、金属材を折曲げ加工して、柱状に構成されている。
【００５１】
図１及び図２に示すように、調理器本体Ｈにおける前面部の左方側の横端部及び右方側の横端部には、運転操作部Ｍが設けられ、左右の運転操作部Ｍの夫々には、上方側運転操作部ＭＵと下方側運転操作部ＭＳとが並設されている。
そして、左右両側の下方側運転操作部ＭＳが、調理器本体Ｈの内方に引退させた引退位置（図１参照）と調理器本体Ｈの前方に突出させた突出位置（図２参照）とに出退自在に構成されている。
つまり、左右両側の下方側運転操作部ＭＳが、下方側枠部ＢＳに対して出退自在に装着され、そして、運転操作指令部Ｎを上面部に備える形態に構成されている。
【００５２】
また、左右両側の上方側運転操作部ＭＵには、上方側枠部ＢＵの前面を覆う矩形状の上側操作部カバー６（前面パネルの一例）が装備され、左右両側の下方側運転操作部ＭＳには、下方側枠部ＢＳの前面を覆う矩形状の下側操作部カバー７が装備されている。
図１５に示すように、左右の上側操作部カバー６及び左右の下側操作部カバー７が、調理器本体Ｈの横端部とキッチンキャビネットＫＮの前面開口Ｋ２との間を覆うべく調理器本体Ｈの横外方に張り出す状態で設けられている。
【００５３】
つまり、左右の上側操作部カバー６には、調理器本体Ｈの横外方に張り出す上側張出部分６Ａが設けられ、左右の下側操作部カバー７には、調理器本体Ｈの横外方に張り出す下側張出部分７Ａが設けられている。
そして、上側張出部分６Ａ及び下側張出部分７Ａが、上述した隙間挿入部材Ｐの前部相当箇所を覆う状態で、調理器本体Ｈの横端部とキッチンキャビネットＫＮの前面開口Ｋ２との間を覆うように構成されている。
【００５４】
図１及び図２に示すように、左右の上方側運転操作部ＭＵの夫々には、押し操作式の点消火ボタン８、及び、コンロ横幅方向に沿ってスライド操作されるスライド操作式の火力調節具９が、上方側枠部ＢＵの装着される状態で配設されている。
すなわち、左方の上方側運転操作部ＭＵには、押し操作式の点消火ボタン８として、標準火力バーナ１Ａに対する点火及び消火を指令する標準火力用点消火ボタン８Ａ、及び、小火力バーナ１Ｂに対する点火及び消火を指令する小火力用点消火ボタン８Ｂが、コンロ横幅方向に沿って並ぶ状態で装備されている。
【００５５】
加えて、左方の上方側運転操作部ＭＵには、スライド操作式の火力調節具９として、標準火力バーナ１Ａの火力を調節する標準火力用火力調節具９Ａ、及び、小火力バーナ１Ｂの火力を調節する小火力用火力調節具９Ｂが、コンロ横幅方向に沿って並ぶ状態で装備されている。
【００５６】
また、右方の上方側運転操作部ＭＵには、押し操作式の点消火ボタン８として、高火力バーナ１Ｃに対する点火及び消火を指令する高火力用点消火ボタン８Ｃ、及び、グリルバーナに対する点火及び消火を指令するグリル用点消火ボタン８Ｄが、コンロ横幅方向に沿って並ぶ状態で装備されている。
加えて、右方の上方側運転操作部ＭＵには、スライド操作式の火力調節具９として、高火力バーナ１Ｃの火力を調節する高火力用火力調節具９Ｃが装備されている。
【００５７】
左方の下方側運転操作部ＭＳの運転操作指令部Ｎは、標準火力バーナ１Ａ及び小火力バーナ１Ｂに対する運転情報を指令するものであって、具体的には、燃焼している標準火力バーナ１Ａ及び小火力バーナ１Ｂを設定時間が経過すると自動的に消火するタイマ運転や、やかん等の被加熱容器に収納した湯水が沸騰すると、燃焼している標準火力バーナ１Ａ及び小火力バーナ１Ｂを自動的に消火する湯沸し運転等、各種の運転を実行するための運転情報を指令することになる。
【００５８】
右方の下方側運転操作部ＭＳの運転操作指令部Ｎは、高火力バーナ１Ｃ及びグリルバーナに対する運転情報を指令するものであって、具体的には、高火力バーナ１Ｃについては、標準火力バーナ１Ａ及び小火力バーナ１Ｂと同様に、タイマ運転や湯沸し運転等の各種の運転を実行するための運転情報を指令することになる。
また、グリルバーナについては、燃焼しているグリルバーナを設定時間が経過すると自動的に消火するタイマ運転や、燃焼排気温度に基づいて被調理物が焼き上がりであることを推定すると、燃焼しているグリルバーナを自動的に消火する自動運転等、各種の運転を実行するための運転情報を指令することになる。
【００５９】
（上側操作部カバーの詳細）
左右の上方側運転操作部ＭＵにおける上側操作部カバー６は同様に構成されるものであるから、以下、右側の上側操作部カバー６を代表にして説明する。
図３及び図４に示すように、上側操作部カバー６は、矩形状のパネル本体６Ｈと、パネル本体Ｈの横内方側の端縁部から後方側に起立する内方側壁部分６Ｎ、パネル本体６Ｈの横外方側の端縁部から後方側に起立する外方側壁部分６Ｇ、パネル本体６Ｈの上方側の端縁部から後方側に起立する上方側壁部分６Ｕ、及び、パネル本体６Ｈの下方側の端縁部から後方側に起立する下方側壁部分６Ｓを備える状態に金属板にて形成されている。
【００６０】
パネル本体６Ｈには、操作部装着枠Ｂの上方側枠部前壁部分の構成に対応させて、点消火ボタン８としての、高火力用点消火ボタン８Ｃ及びグリル用点消火ボタン８Ｄをコンロ前方に突出させるボタン用開口１０、火力調節具９としての、高火力用火力調節具９Ｃをコンロ前方に突出させる調節具用開口１１が形成されている。
【００６１】
上側操作部カバー６が、操作部装着枠Ｂの上方側枠部ＢＵに対して着脱自在に装備されて、図１４及び図１５に示すように、調理器本体ＨをキッチンキャビネットＫＮに装着する際には外しておき、調理器本体ＨをキッチンキャビネットＫＮに装着した後において、上方側枠部ＢＵを覆う覆い状態に装着されるように構成されている。
【００６２】
（上側操作部カバーの装着構成）
上側操作部カバー６を着脱する構成について説明を加えると、図９及び図１０に示すように、上側操作部カバー６が、横内方側端部に設けた被係止部Ｕを上方側枠部ＢＵの横内方側端部に設けた係止部Ｗに前後揺動可能に係止させた状態での後方側の揺動により、上方側枠部ＢＵを覆う覆い状態に装着されるように構成されている。
また、図１２及び図１３に示すように、覆い状態の上側操作部カバー６の横外方側端部を上方側枠部ＢＵに固定する固定部Ｄが、固定状態と固定解除状態とに切換え自在に設けられている。
【００６３】
従って、上側操作部カバー６を、被係止部Ｕを係止部Ｗに係止させた状態での後方側の揺動により上方側枠部ＢＵを覆う覆い状態に切換えたときに、固定部Ｄを固定状態に切換えることにより、上方側枠部ＢＵを覆う覆い状態に上側操作部カバー６を維持できるように構成されている。
また、固定部Ｄを固定解除状態に切換えたときに、上側操作部カバー６を、被係止部Ｕを係止部Ｗに係止させた状態で前方側に揺動させ、その後、被係止部Ｕを係止部Ｗから離脱させることにより、上側操作部カバー６を上方側枠部ＢＵから外すことができるように構成されている。
【００６４】
ちなみに、上側操作部カバー６の被係止部Ｕを上方側枠部ＢＵの係止部Ｗに対して係脱させる際には、グリル部Ｇの扉付グリル皿Ｇｔを前方側に引き出して、上方側枠部ＢＵの横内方側部分を露出させることになる。
【００６５】
尚、本実施形態においては、後述の如く、上側操作部カバー６の覆い状態において、上方側枠部ＢＵの横外方側端部に設けた位置決め用係合部Ｅｕに対して、上側操作部カバー６に設けた位置決め用被係合部Ｅｔが係合することにより、覆い状態の上側操作部カバー６の装着姿勢の安定化を図るようになっている（図１１参照）。
【００６６】
（被係止部と係止部の詳細）
図６及び図７に示すように、上方側枠部ＢＵの横内方側端部に、横内方側に突出する上下一対の凸状部Ｔが設けられている。
そして、図４に示すように、上側操作部カバー６の内方側壁部分６Ｎに、凸状部Ｔの先端部Ｔｓに嵌める上下一対の４角状の挿入孔１３が形成されている。
また、図９及び図１０に示すように、凸状部Ｔに、内方側壁部分６Ｎの横外方側の移動を受止め規制する壁用受止部Ｓが形成されている。
【００６７】
図４に示すように、内方側壁部分６Ｎに、当該内方側壁部分６Ｎから横外方側に向けて起立する上下一対の爪状部Ｆが設けられている。
本実施形態では、上下一対の爪状部Ｆが、上下一対の挿入孔１３の孔縁部における後方側部分から起立する状態に形成されている。
【００６８】
図７及び図８に示すように、上下一対の凸状部Ｔの夫々に、爪状部Ｆを係止する溝部Ｊが設けられている。
溝部Ｊが、爪状部Ｆの前方側への移動を受止め規制する板状の前方側受部１４Ｆ、爪状部Ｆの下方側への移動を受止め規制する板状の下方側受部１４Ｓ、及び、爪状部Ｆの上方側への移動を規制する板状の上方側受部１４Ｕを備える形態に構成されている。
【００６９】
つまり、凸状部Ｔが、上下方向に沿う姿勢の板状の前方側受部１４Ｆの下端縁部に、水平方向に沿う姿勢の板状の下方側受部１４Ｓを備え、かつ、上下方向に沿う姿勢の板状の前方側受部１４Ｆの上端縁部に、水平方向に沿う姿勢の上方側受部１４Ｕを備える形態に形成されて、前方側受部１４Ｆ、下方側受部１４Ｓ及び上方側受部１４Ｕにより、溝部Ｊを形成するように構成されている。
【００７０】
また、図６及び図７に示すように、凸状部Ｔの前方側部分に、横方向に延びるリブ１４Ｂが形成されている。つまり、上下方向に沿う姿勢の板状の前方側受部１４Ｆの前面に、横方向に延びる形態でリブ１４Ｂが形成されて、凸状部Ｔを補強するように構成されている。
【００７１】
そして、図９及び図１０に示すように、上方側受部１４Ｕの横内方側端部、下方側受部１４Ｓの横内方側端部、及び、リブ１４Ｂの横内方側端部の夫々が、内方側壁部分６Ｎを受止める壁用受止部Ｓとして機能するように構成され、また、前方側受部１４Ｆにおける上方側受部１４Ｕ及び下方側受部１４Ｓよりも横内方側に突出する部分が、挿入孔１３が嵌合する凸状部Ｔの先端部Ｔｓとして機能するように構成されている。
【００７２】
ちなみに、本実施形態体においては、爪状部Ｆが溝部Ｊに挿入された状態において、爪状部Ｆが上下方向に移動する多少の融通が存在する形態で爪状部Ｆの上下の位置が規制され、そして、爪状部Ｆが上下に移動した際に、凸状部Ｔの先端部Ｔｓに嵌めた挿入孔１３の上下の孔縁部が、凸状部Ｔの先端部Ｔｓに接当することがないように、凸状部Ｔの先端部Ｔｓと挿入孔１３の上下の孔縁部との間に、爪状部Ｆと溝部Ｊとの間の融通よりも大きな融通が存在するように構成されている。
【００７３】
尚、爪状部Ｆが挿入孔１３の後方側の孔縁部から折り曲げる形態で設けるにあたり、図８に示すように、爪状部Ｆが挿入孔１３の後方側の孔縁部よりも前方側に位置する形態で設けられているため、爪状部Ｆが溝部Ｊに挿入された状態において、爪状部Ｆが前方側受部１４Ｆに接当した際に、凸状部Ｔの先端部Ｔｓに嵌めた挿入孔１３の後方側の孔縁部が、凸状部Ｔの先端部Ｔｓに接当することがないように構成されている。
【００７４】
以上の説明から明らかな如く、本実施形態においては、被係止部Ｕが、挿入孔１３と爪状部Ｆを備える形態に構成され、また、係止部Ｗが、凸状部Ｔの先端部Ｔｓ、壁用受止部Ｓ及び溝部Ｊから構成されている。
そして、図４及び図１０に示すように、上側操作部カバー６を、上方側枠部ＢＵの前面から離間させた状態で、横内方側端部の挿入孔１３を凸状部Ｔに嵌合させ、かつ、爪状部Ｆを溝部Ｊに係止させ、その状態で、上側操作部カバー６を後方側に揺動させることにより、図９に示すように、上側操作部カバー６が上方側枠部ＢＵを覆う覆い状態に装着されるように構成されている。
【００７５】
尚、図９及び図１０に示すように、凸状部Ｔの先端部Ｔｓの前面側部分が湾曲状に形成されて、上側操作部カバー６を後方側に揺動させながら装着する際に、挿入孔１３の後方側の孔縁部と先端部Ｔｓとの接当を回避しながら、挿入孔１３を先端部Ｔｓに円滑に嵌めることができるように構成されている。
【００７６】
ちなみに、図６に示すように、上方側枠部ＢＵの上部には、被係止部Ｕを係止部Ｗに係止させた状態で上側操作部カバー６を後方側に揺動させる際に、上側操作部カバー６の上方側壁部分６Ｕに接当する上方側案内部Ａｕが設けられ、また、上方側枠部ＢＵの下部には、被係止部Ｕを係止部Ｗに係止させた状態で上側操作部カバー６を後方側に揺動させる際に、上側操作部カバー６の下方側壁部分６Ｓに接当する下方側案内部Ａｓが設けられて、被係止部Ｕを係止部Ｗに係止させた状態を維持しながら、上側操作部カバー６を後方側に適切に揺動させることができるように構成されている。
【００７７】
上方側案内部Ａｕが、上方側枠部ＢＵの上縁部における横内方側箇所に、上方に突出する凸部状に形成され、下方側案内部Ａｓが、上方側枠部ＢＵの下縁部の横方向複数箇所に、前後方向に伸びる姿勢のリブ状に形成されている。
【００７８】
また、本実施形態の被係止部Ｕは、上側操作部カバー６における内方側壁部分６Ｎの上下一対の挿入孔１３を上下一対の凸状部Ｔの先端部Ｔｓに嵌合させるようにしながら、爪状部Ｆを溝部Ｊに係止させることができるように構成されている。
つまり、目視にて存在を確認し易い上下一対の挿入孔１３を上下一対の凸状部Ｔの先端に嵌合させることにより、結果的に、爪状部Ｆを溝部Ｊに係止させることができるように構成されている。
【００７９】
また、上下一対の爪状部Ｆが、上下一対の挿入孔１３の孔縁部における後方側部分から起立する状態に形成されているから、爪状部Ｆが後方側に折れ曲がることを適切に回避できる。
つまり、内方側壁部分６Ｎから横外方側に向けて片持ち状に起立する爪状部Ｆには、上下方向に沿う姿勢の板状の前方側受部１４Ｆに接当した際に、後方側に折れ曲げる力が作用することになるが、爪状部Ｆにおける挿入孔１３の孔縁部に相当する箇所に位置する折れ曲がり難い部分が、後方側に折れ曲げる力を受止めることにより、被係止部Ｕの折れ曲がりを回避できることになる。
【００８０】
（固定部の詳細）
図５に示すように、固定部Ｄが、覆い状態の上側操作部カバー６における調理器本体Ｈの横外方に張り出す張出部分６Ａの背面部に上下方向にスライド自在に装備された固定作用部材１６を、固定位置と固定解除位置とに上下方向にスライドさせることによって、固定状態と固定解除状態とに切換え自在に構成されている。
ちなみに、本実施形態においては、固定作用部材１６を下方側にスライド操作すると固定位置となり、上方側にスライド操作すると固定解除位置となるように構成されている。
【００８１】
本実施形態においては、固定作用部材１６をスライド自在に支持する合成樹脂製の支持台１７が、上側操作部カバー６に装着されている。
つまり、図５及び図１２に示すように、上側操作部カバー６における外方側壁部分６Ｇの上縁部には、支持台１７を後方側から受止める係止片１８が横内方側に向けて屈曲される状態で形成され、また、上側操作部カバー６における上方側壁部分６Ｕ及び下方側壁部分６Ｓには、支持台１７を後方側から受止める膨出部１９が形成されている。
【００８２】
また、支持台１７の上下長さが、上側操作部カバー６における上方側壁部分６Ｕ及び下方側壁部分６Ｓの間隔と同程度の長さに形成され、さらに、支持台１７には、係止片１８に形成した係止孔１８ａに係合する係止突起１７ａが形成されて、支持台１７が上側操作部カバー６に対して横方向に移動することが規制されている。
そして、支持台１７が、係止片１８及び上下一対の膨出部１９にて後方側に外れることが受止め規制され、上方側壁部分６Ｕ及び下方側壁部分６Ｓによって上側操作部カバー６に対して上下方向に移動することが規制され、係止片１８に形成した係止孔１８ａに係止突起１７ａが係合することによって上側操作部カバー６に対して上下方向に移動することが規制された状態で、上側操作部カバー６に装着されるように構成されている。
【００８３】
図５及び図１２に示すように、支持台１７に、上側操作部カバー６の覆い状態において、上方側枠部ＢＵの横外方側端部に設けた位置決め用係合部Ｅｕ（図６参照）に係合する位置決め用係合部Ｅｔが形成されている。
本実施形態においては、位置決め用係合部Ｅｕが、係合孔として形成され、位置決め用被係合部Ｅｔが、係合突起状に形成する場合を例示する。ちなみに、これとは逆に、位置決め用係合部Ｅｕを、係合突起状に形成し、位置決め用被係合部Ｅｔを係合孔とし形成する形態で実施してもよい。
【００８４】
図１２及び図１３に示すように、固定用部材１６に、固定位置において上方側枠部ＢＵの横外方側端部に設けた上下一対の外方側係止部２０に対して前方側への移動が阻止されるように係止されかつ前記固定解除位置にて外方側係止部２０による係止が解除される上下一対の固定用被係止部１６Ａが設けられている。
【００８５】
（固定用作用部材の詳細）
図５に示すように、固定作用部材１６が上下方向に沿う帯板状に形成され、固定作用部材１６には、上述した固定用被係止部１６Ａが、横外方に張り出す状態で上下一対設けられている。
尚、固定用被係止部１６Ａが、固定作用部材１６の左右両側に張り出す状態に設けられて、左方側の運転操作部Ｍにおける上方側運転操作部ＭＵに対して上側操作部カバー６を装着する際にも、固定作用部材１６を兼用できるようになっている。
【００８６】
そして、固定作用部材１６を固定位置と固定解除位置とにスライド操作する操作部１６Ｂが、固定作用部材１６の下端部に連なる状態で設けられている。
つまり、操作部１６Ｂは、固定部Ｄを固定状態と固定解除状態とに切換え操作する操作部として機能するものであり、そして、その操作部１６Ｂが、下側操作部カバー７における調理器本体Ｈの横外方に張り出す下側張出部分７Ａの背部側箇所に位置するように構成されている（図４参照）。
【００８７】
したがって、固定部Ｄを固定状態と固定解除状態とに切換えるべく、固定作用部材１６を固定位置と固定解除位置とに切換え操作する際には、下側操作部カバー７を備えた下方側運転操作部ＭＳを突出位置に位置させて、操作部１６Ｂを露出させることにより、操作部１６Ｂの操作を良好に行えるように構成されている（図２参照）。
【００８８】
図５及び図１２に示すように、支持台１７の固定用作用部材１６の装着面に、固定作用部材１６を保持する保持部として、Ｌ字状の６個の保持片２１が、固定作用部材１６の両横側箇所に、上下方向に沿って３個ずつ並べる状態で設けられて、固定作用部材１６が保持片２１にてスライド自在に保持されている。
【００８９】
図１２及び図１３に示すように、本実施形態においては、固定作用部材１６のスライド範囲の上端側の固定解除位置を規制するために、固定作用部材１６に設けた接当片１６と支持台１７に設けた起立片２２とが接当するように構成されている。
また、固定作用部材１６のスライド範囲の下端側の固定位置を規制するために、支持台１７に形成した上下一対のピン状突起２３が、固定作用部材１６に形成した長孔状挿通孔２４の上端部に接当するように構成されている。
【００９０】
尚、詳細な説明は省略するが、固定用作用部材１６と支持台１７との間には、固定用作用部材１６を固定位置や固定解除位置とに保持するための弾性係合式の位置決め機構が設けられて、固定用作用部材１６を固定位置や固定解除位置とに保持するように構成されている。
【００９１】
ちなみに、本実施形態においては、上方側枠部ＢＵを覆う上側操作部カバー６を覆い状態に固定する固定部Ｄに対する操作部１６Ｂが、下側操作部カバー７における調理器本体Ｈの横外方に張り出す下側張出部分７Ａの背部側箇所に位置されているから、下方側運転操作部ＭＳを突出位置に位置させると、固定部Ｄの操作部１６Ｂが露出するものとなり、下方側運転操作部ＭＳを引退位置に位置させると、固定部Ｄの操作部１６Ｂが下側操作部カバー７の下側張出部分７Ａにて覆われるものとなる（図１及び図２参照）。
【００９２】
したがって、固定部Ｄの操作部１６Ｂを操作するときには、下方側運転操作部ＭＳを突出位置にすることにより、露出した固定部Ｄの操作部１６Ｂを良好に操作することができ、そして、固定部Ｄの操作部１６Ｂを操作しないときには、下方側運転操作部ＭＳを引退位置に位置させることにより、固定部Ｄの操作部１６Ｂを下側操作部カバー７の下側張出部分７Ａにて覆うことによって、調理器本体Ｈの前面部の外観を美麗にできる。
【００９３】
〔別実施形態〕
以下、別実施形態を列記する。
【００９４】
（１）上記実施形態においては、爪状部Ｆが、挿入孔１３の孔縁部における後方側部分から起立する状態に形成される場合を例示したが、図１６に示すように、爪状部Ｆを、内方側壁部分６Ｎの後方側端縁部から起立させる形態で設けるようにしてもよい。
この場合、図１７に示すように、凸状部Ｔにおける前方側受部１４Ｆの前後方向の厚さを大きくすることになり、そして、前方側受部１４Ｆの横内方側端部に、壁用受止部Ｓを形成する段部を設けることになる。
【００９５】
（２）上記実施形態においては、調理器本体Ｈの前面部における左右両側の横端部側部分に、上方側運転操作部ＭＵと下方側運転操作部ＭＳとが並設される場合を例示したが、調理器本体Ｈの前面部における左右両側のうちの一方側の横端部側部分にのみ、上方側運転操作部ＭＵと下方側運転操作部ＭＳとが並設される場合にも、本発明は適用できるものである。
【００９６】
（３）上記実施形態においては、操作部１６Ｂによって、固定部Ｄを固定状態と固定解除状態とに操作する場合を例示したが、固定部Ｄが固定状態に復帰付勢されて、上側操作部カバー６を上方側運転操作部ＭＵに装着するに伴って、固定部Ｄが自動的に固定状態になるように構成される場合には、操作部１６Ｂは、固定手段を固定状態から固定解除状態に操作することのみに使用されることになる。
【００９７】
（４）上記実施形態では、固定部Ｄとして、上側操作部カバー６における調理器本体Ｈの横外方に張り出す上側張出部分６Ａの背面部に、固定作用部材１６を上下スライド自在に装備する形態の固定部Ｄを例示したが、固定部Ｄの具体構成は各種変更できる。
【００９８】
（５）上記実施形態では、下方側運転操作部ＭＳが、下端部を中心とした前後揺動によって、引退位置と突出位置とに切換えられる場合を例示したが、例えば、下方側運転操作部ＭＳを前後方向にスライド移動自在に支持して、そのスライド移動によって、引退位置と突出位置とに切換えるようにする等、下方側運転操作部ＭＳを引退位置と突出位置とに切換える形態は各種変更できる。
【００９９】
（６）上記実施形態では、点消火ボタン８を装備する上方側枠部ＢＵを枠体部として、前面パネルとしての上側操作部カバー６にて、上方側枠部ＢＵの前面を覆う形態を例示したが、枠体部としては、電源電池を収納する電池ボックスを装備した電池収納用の枠体部等、調理器本体Ｈの前面部のおける横端部側部分に配設される種々の枠体部を対象とすることができる。
【０１００】
（７）上記実施形態では、ビルトイン式加熱調理器として、加熱手段としてコンロバーナ１やグリルバーナを備えるビルトイン式のガスコンロＧＣを例示したが、加熱手段として電磁誘導加熱部を備えたビルトイン式の電磁調理器にも本発明は適用できるものである。
【符号の説明】
【０１０１】
６      前面パネル
６Ａ    張出部分
６Ｇ    外方側壁部分
６Ｈ    パネル本体
６Ｎ    内方側壁部分
６Ｓ    下方側壁部分
６Ｕ    上方側壁部分
１３    挿入孔
１４Ｂ  リブ
１４Ｆ  前方側受部
１４Ｓ  下方側受部
１４Ｕ  上方側受部
１６    固定作用部材
１６Ａ  固定用被係止部
１７    支持台
２０    外方側係止部
Ａｓ    下方側案内部
Ａｕ    上方側案内部
ＢＵ    枠体部
Ｄ      固定部
Ｅｔ    位置決め用被係合部
Ｅｕ    位置決め用係合部
Ｆ      爪状部
Ｈ      調理器本体
Ｊ      溝部
ＫＮ    キッチンキャビネット
Ｋ１    上方開口部
Ｋ２    前面開口
Ｓ      壁用受止部
Ｔ      凸状部
Ｔｓ    先端部
Ｕ      被係止部
Ｗ      係止部
【図１】
2018200157.tif 000003
【図２】
2018200157.tif 000004
【図３】
2018200157.tif 000005
【図４】
2018200157.tif 000006
【図５】
2018200157.tif 000007
【図６】
2018200157.tif 000008
【図７】
2018200157.tif 000009
【図８】
2018200157.tif 000010
【図９】
2018200157.tif 000011
【図１０】
2018200157.tif 000012
【図１１】
2018200157.tif 000013
【図１２】
2018200157.tif 000014
【図１３】
2018200157.tif 000015
【図１４】
2018200157.tif 000016
【図１５】
2018200157.tif 000017
【図１６】
2018200157.tif 000018
【図１７】
2018200157.tif 000019